【手続補正書】
【提出日】平成20年10月29日(2008.10.29)
【手続補正１】
【補正対象書類名】特許請求の範囲
【補正対象項目名】全文
【補正方法】変更
【補正の内容】
【特許請求の範囲】
【請求項１】
第１のスペクトル出力を有する第１の電気作動式固体発光体と、
前記第１のスペクトル出力と異なる第２のスペクトル出力を有する第２の電気作動式固体発光体と、
少なくとも前記第１の発光体と相互作用してそれに応答して第３のスペクトル出力を放出するように配置された第１の蛍燐光体材料と、
少なくとも前記第２の発光体と相互作用してそれに応答して前記第３のスペクトル出力と異なる第４のスペクトル出力を放出するように配置された第２の蛍燐光体材料と、
を含む発光デバイスであって、
前記第１の蛍燐光体材料および前記第２の蛍燐光体材料のうちの少なくとも１つが、前記第１の発光体および前記第２の発光体によって異なる量で前記発光体に対して配設され、前記第１のスペクトル出力、前記第２のスペクトル出力、前記第３のスペクトル出力、および前記第４のスペクトル出力のそれぞれが、可視領域に出力を含む、発光デバイス。
【請求項２】
可視領域に第１の色ピークを含む第１のスペクトル出力を有する第１の電気作動式固体発光体と、
可視領域に第２の色ピークを含む第２のスペクトル出力を有する第２の電気作動式固体発光体と、
少なくとも前記第１の発光体と相互作用してそれに応答して可視領域に第３の色ピークを含む第３のスペクトル出力を放出するように配置された第１の蛍燐光体材料と、
少なくとも前記第２の発光体と相互作用してそれに応答して可視領域に第４の色ピークを含む第４のスペクトル出力を放出するように配置された第２の蛍燐光体材料と、
を含む発光デバイスであって、
前記第１の色ピーク、第２の色ピーク、第３の色ピーク、および第４の色ピークのそれぞれが、他のものと異なり、かつ前記デバイスの集合スペクトル出力が、前記第１の色ピーク、第２の色ピーク、第３の色ピーク、および第４の色ピークを含む、発光デバイス。
【請求項３】
前記第１の蛍燐光体材料および前記第２の蛍燐光体材料のうちの少なくとも１つが、前記第１の発光体および前記第２の発光体の両方と相互作用するように配置される、請求項１〜２のいずれか一項に記載の発光デバイス。
【請求項４】
前記第１の蛍燐光体材料が、前記第１の発光体だけからの有意なスペクトル出力を受け取るように配置され、かつ前記第２の蛍燐光体材料が、前記第２の発光体だけからの有意なスペクトル出力を受け取るように配置される、請求項１〜２のいずれか一項に記載の発光デバイス。
【請求項５】
前記第１のスペクトル出力、前記第２のスペクトル出力、前記第３のスペクトル出力、および前記第４のスペクトル出力のそれぞれが、他のものと異なる、請求項１に記載の発光デバイス。
【請求項６】
前記第１の蛍燐光体材料および前記第２の蛍燐光体材料のいずれもが、前記第１の発光体および前記第２の発光体のうちの少なくとも１つの上にコンフォーマルに被覆される、請求項１〜２のいずれか一項に記載の発光デバイス。
【請求項７】
前記第１の発光体が、前記第２の発光体とサイズが実質的に異なる、請求項１〜２のいずれか一項に記載の発光デバイス。
【請求項８】
ガラス組成物および高分子組成物のいずれかを含む共通の被覆材料をさらに含み、前記被覆材料が、それを貫通して前記第１のスペクトル出力、第２のスペクトル出力、第３のスペクトル出力、および第４のスペクトル出力のそれぞれを透過するように配置される、請求項１〜７のいずれか一項に記載の発光デバイス。
【請求項９】
前記第１の蛍燐光体材料および前記第２の蛍燐光体材料のいずれもが、前記共通の被覆材料中に分散される、請求項８に記載の発光デバイス。
【請求項１０】
前記第１の蛍燐光体材料および前記第２の蛍燐光体材料のうちの少なくとも１つが、前記第１の発光体および前記第２の発光体によって異なる量で前記発光体に対して配設される、請求項２に記載の発光デバイス。
【請求項１１】
白色光の集合スペクトル出力を提供するように適合化される、請求項１〜１０のいずれか一項に記載の発光デバイス。
【請求項１２】
太陽光、キャンドル光、または白熱フィラメント光の照明スペクトルに実質的に一致する集合スペクトル出力を提供するように適合化される、請求項１〜１０のいずれか一項に記載の発光デバイス。
【請求項１３】
１３５０°Ｋ〜１５５０°Ｋの範囲内の色温度を有する白色光の集合スペクトル出力を提供するように適合化される、請求項１〜１０のいずれか一項に記載の発光デバイス。
【請求項１４】
２４００°Ｋ〜３５５０°Ｋの範囲内の色温度を有する白色光の集合スペクトル出力を提供するように適合化される、請求項１〜１０のいずれか一項に記載の発光デバイス。
【請求項１５】
４９５０°Ｋ〜６０５０°Ｋの範囲内の色温度を有する白色光の集合スペクトル出力を提供するように適合化される、請求項１〜１０のいずれか一項に記載の発光デバイス。
【請求項１６】
前記第１の発光体および前記第２の発光体のそれぞれのスペクトル出力が、蛍燐光体材料の異なる厚さを通過する、請求項１〜１０のいずれか一項に記載の発光デバイス。
【請求項１７】
前記第１の発光体、前記第２の発光体、前記第１の蛍燐光体材料、および前記第２の蛍燐光体材料が、一体型パッケージ中に配設される、請求項１〜１６のいずれか一項に記載の発光デバイス。
【請求項１８】
前記第１の発光体が第１のＬＥＤダイを含み、かつ前記第２の発光体が第２のＬＥＤダイを含む、請求項１〜１７のいずれか一項に記載の発光デバイス。
【請求項１９】
前記第１の発光体、前記第２の発光体、ならびに前記第１の蛍燐光体材料、および前記第２の蛍燐光体材料のうちの少なくとも１つが、その耐用期間にわたり発光の劣化を含む第１の老化プロファイルを有し、かつ前記第１の発光体、前記第２の発光体、ならびに前記第１の蛍燐光体材料、および前記第２の蛍燐光体材料のうちの少なくとも他の１つが、前記第１の老化プロファイルに固有の発光の前記劣化を少なくとも部分的に補償する第２の老化プロファイルを有する、請求項１〜１８のいずれか一項に記載の発光デバイス。
【請求項２０】
前記第１の発光体、第２の発光体、第１の蛍燐光体材料、および第２の蛍燐光体材料のうちの少なくとも２つが、前記発光デバイスの動作耐用期間にわたり前記発光デバイスのスペクトル出力の所定の特性を提供するようにその老化特性に関してマッチングされる、請求項１〜１８のいずれか一項に記載の発光デバイス。
【請求項２１】
前記発光デバイスのスペクトル出力の前記所定の特性が、前記デバイスの前記耐用期間中の所定の時期における前記発光デバイスのスペクトル出力の色の変化を含む、請求項２０に記載の発光デバイス。
【請求項２２】
前記第１および第２のスペクトル出力のそれぞれと異なる第５のスペクトル出力を有する第３の電気作動式固体発光体をさらに含む、請求項１〜２１のいずれか一項に記載の発光デバイス。
【請求項２３】
前記第３および第４のスペクトル出力のそれぞれと異なる第６のスペクトル出力を有する第３の蛍燐光体材料をさらに含む、請求項２２に記載の発光デバイス。
【請求項２４】
各発光体への電流が個別的に制御される、請求項１〜２３のいずれか一項に記載の発光デバイス。
【請求項２５】
前記第１の発光体および前記第２の発光体が、共通のリフレクター中または共通のリフレクター上に配設される、請求項１〜２１のいずれか一項に記載の発光デバイス。
【請求項２６】
可視領域に異なるスペクトル出力をそれぞれ有する少なくとも４つの電気作動式固体発光体を含み、かつ可視領域に少なくとも４つの異なる色ピークを有する集合スペクトル出力を放出するように適合化される、発光デバイスであって、前記少なくとも４つの発光体のうちの少なくとも２つの発光体が、実質的に異なるサイズである、発光デバイス。
【請求項２７】
前記少なくとも４つの発光体の各発光体からのスペクトル出力を受け取るように配置された前記共通のリフレクターを含む、請求項２６に記載の発光デバイス。
【請求項２８】
ガラス組成物および高分子組成物のいずれかを含む前記共通の被覆材料を含む（ここで、前記被覆材料は、前記少なくとも４つの発光体のそれぞれの上に連続的に配設される）、請求項２６〜２７のいずれか一項に記載の発光デバイス。
【請求項２９】
前記第１、第２、第３、および第４の発光体のうちの少なくとも１つと相互作用してそれに応答して第５のスペクトル出力を放出するように配置された少なくとも１種の蛍燐光体材料をさらに含む、請求項２６〜２８のいずれか一項に記載の発光デバイス。
【請求項３０】
前記少なくとも１種の蛍燐光体材料が、前記第１、第２、第３、および第４の発光体のいずれかの上にコンフォーマルに被覆される、請求項２９に記載の発光デバイス。
【請求項３１】
白色光の集合スペクトル出力を提供するように適合化される、請求項２６〜３０のいずれか一項に記載の発光デバイス。
【請求項３２】
前記共通のリフレクターが、リフレクターカップを含み、前記第１、第２、第３、および第４の発光体の各発光体が、前記リフレクターカップ上または前記リフレクターカップ中に配設される、請求項２６〜３１のいずれか一項に記載の発光デバイス。
【請求項３３】
第１のスペクトル出力を有する第１の電気作動式固体発光体を励起することと、
第２のスペクトル出力を有する第２の電気作動式固体発光体を励起することと（前記第２のスペクトル出力は、前記第１のスペクトル出力と異なる）、
を含む光発生方法であって、
第１の蛍燐光体材料が、少なくとも前記第１の発光体と相互作用してそれに応答して前記第１の蛍燐光体材料から第３のスペクトル出力を放出するように配置され、
第２の蛍燐光体材料が、少なくとも前記第２の発光体と相互作用してそれに応答して前記第２の蛍燐光体材料から第４のスペクトル出力を放出するように配置され（前記第４のスペクトル出力は、前記第３のスペクトル出力と異なる）、かつ
前記第１の蛍燐光体材料および前記第２の蛍燐光体材料のうちの少なくとも１つが、前記第１の発光体および前記第２の発光体によって異なる量で前記発光体に対して配設され、前記第１のスペクトル出力、前記第２のスペクトル出力、前記第３のスペクトル出力、および前記第４のスペクトル出力のそれぞれが、可視領域に出力を含む、方法。
【請求項３４】
可視領域に異なるスペクトル出力をそれぞれ有する少なくとも４つの電気作動式固体発光体を励起させて可視領域に少なくとも４つの異なる色ピークを有する集合スペクトル出力を放出させることを含む光発生方法であって、前記少なくとも４つの発光体のうちの少なくとも２つの発光体が、実質的に異なるサイズである、光発生方法。
【請求項３５】
可視領域に第１の色ピークを含む第１のスペクトル出力を有する第１の電気作動式固体発光体を励起することと、
可視領域に第２の色ピークを含む第２のスペクトル出力を有する第２の電気作動式固体発光体を励起することと、
を含む光発生方法であって、
前記第１のスペクトル出力が、第１の蛍燐光体材料と相互作用してそれに応答して可視領域に第３の色ピークを含む第３のスペクトル出力を放出し、
前記第２のスペクトル出力が、第２の蛍燐光体材料と相互作用してそれに応答して可視領域の第４の色ピークを含む第４のスペクトル出力を放出し、かつ
前記第１の色ピーク、第２の色ピーク、第３の色ピーク、および第４の色ピークのそれぞれが、他のものと異なり、かつデバイスの集合スペクトル出力が、前記第１の色ピーク、第２の色ピーク、第３の色ピーク、および第４の色ピークを含む、方法。